(57)【要約】【課題】軒天井の換気口に設置して軒天井への気流の吹き出しを抑制しつつ、さらに気流に含まれる結露水等の液体の垂れ落ちをも防ぐことができる換気口カバーの提供。【解決手段】換気口カバー１はドーム部９の斜面９ｂに複数のドレン孔９ｃを有する。ドーム部９の底面に下面カバー部８を設け、下面カバー部８の上面をドレン孔９ｃから落ちる液体を受ける貯水部１６とする。【選択図】図１
2018071828.tif 000002
【特許請求の範囲】
【請求項１】
建物の軒天井に開口する換気口に取付ける差込筒と、
前記差込筒の開口に向けて突出する錐形状の斜面を有し、前記差込筒の開口から流れ込む気流を前記斜面で受け流すドーム部とを備える換気口カバーにおいて、
前記ドーム部の前記斜面に複数のドレン孔を設けるとともに、
前記ドーム部における前記錐形状の底面側に前記ドレン孔から落ちる液体を受ける貯水部を設けることを特徴とする換気口カバー。
【請求項２】
前記ドレン孔は、前記錐形状の周方向に沿って伸長する横長孔である請求項１記載の換気口カバー。
【請求項３】
前記複数のドレン孔を前記斜面の傾斜方向で離間して設ける請求項１又は２記載の換気口カバー。
【請求項４】
前記複数のドレン孔をさらに前記斜面の傾斜方向で部分的に重なる位置に設ける請求項３記載の換気口カバー。
【請求項５】
前記貯水部として、前記ドーム部における前記錐形状の底面に配置する下面カバー部を有するフード部を備える請求項１〜４何れか１項記載の換気口カバー。
【請求項６】
前記下面カバー部の外周縁に、前記軒天井に向けて立ち上がり前記ドーム部の下端外周を覆う外向き傾斜縁を設け、
前記ドーム部の下端外周と前記外向き傾斜縁との間に、前記ドーム部の斜面に沿って流れる液体を受ける受け溝部を有する請求項５記載の換気口カバー。
【請求項７】
前記外向き傾斜縁は、その上端が前記ドーム部の斜面の下端部に対して上方に突出しない長さである請求項６記載の換気口カバー。
【発明の詳細な説明】
【技術分野】
【０００１】
本発明は、建物の軒天井の換気口に取付ける換気口カバーに関する。
【背景技術】
【０００２】
戸建住宅、マンション、ビル等の建物の垂直な外壁には、換気経路の屋外側端末となる換気口が開口しており、そこには換気口カバーが設置されている。こうした換気口カバーの中には、換気口カバーから吹き出す気流が外壁に沿って流れることで外壁を汚してしまうことを防ぐための構造を備えるものが知られている。
【０００３】
特許文献１には、カバー部１０の正面の遮蔽部８に、その外周縁から中心に向かうにつれて室内側に厚みが増加する錐形状の突形状部１３を設ける換気用ベントキャップが開示されており、建物の壁１の換気口に接続された本体筒部５から排出する空気は突形状部１３に沿って流されて壁１から離れる方向へ排出することが記載されている。
【０００４】
特許文献２は本出願人が提案する換気口カバーである。この換気口カバーは、フード部９の内部に建物の換気口に接続する差込筒２の開口に向けて突出する錐形状のドーム部３と、差込筒２からフード部９の内部に通じる通気路の上側を閉塞する整流部７ａとを有しており、差込筒２からフード部９に流れる排気はドーム部３の斜面に沿って流されて外壁から離間するように流れることが記載されている。
【先行技術文献】
【特許文献】
【０００５】
【特許文献１】特開２０１２−１０２９６２号公報
【特許文献２】特開２０１４−１２２７６６号公報
【発明の概要】
【発明が解決しようとする課題】
【０００６】
ところで、建物によっては垂直な外壁のみならず、建物の軒天井、例えば戸建住宅であれば屋根の軒天井、マンションやビル等であればバルコニーや共用廊下の軒天井にも換気口が開口しており、軒天井に設置する換気口カバーについても吹き出した気流による軒天井の汚損を防ぐことができる機能が求められている。
【０００７】
そこで外壁の汚損防止効果という点に着目して、特許文献１の実施形態の換気用ベントキャップや特許文献２の実施形態の換気口カバーを、軒天井の換気口カバーとして設置することも考えられる。しかしながら、それらをそのまま軒天井に取付けた場合、台所や浴室からの排気には水分が含まれており、冬場になるとその水分が結露水として錐形状の突形状部１３（特許文献１）やドーム部３（特許文献２）に付着し、その斜面を伝って下に垂れ落ちてしまい床面を汚してしまうという課題がある。
【０００８】
以上のような従来技術を背景になされたのが本発明である。その目的は、軒天井の換気口に設置することができ、軒天井への気流の吹き出しを抑制しつつ、さらに気流に含まれる結露水等の液体の垂れ落ちをも防ぐことができる換気口カバーの提供にある。
【課題を解決するための手段】
【０００９】
上記目的を達成すべく本発明は以下のように構成される。
【００１０】
即ち本発明は、建物の軒天井に開口する換気口に取付ける差込筒と、前記差込筒の開口に向けて突出する錐形状の斜面を有し、前記差込筒の開口から流れ込む気流を前記斜面で受け流すドーム部とを備える換気口カバーについて、前記ドーム部の前記斜面に複数のドレン孔を設けるとともに、前記ドーム部における前記錐形状の底面側に前記ドレン孔から落ちる液体を受ける貯水部を設けることを特徴とする。
【００１１】
本発明によれば、差込筒の開口から流れ込む気流をドーム部の斜面で受け流すことで、軒天井への気流の吹き出しを抑制しつつ、ドーム部に付着した結露水等の液体についてはドーム部の斜面に設けたドレン孔に流し、ドレン孔から落ちた液体はドーム部の底面側に設けた貯水部で受け止めることができる。したがって本発明の換気口カバーによれば、気流による軒天井の汚損防止と、ドーム部に付着した液体の落下による床面の防止とを実現することができる。
【００１２】
前記本発明のドレン孔については、前記錐形状の周方向に沿って伸長する横長孔とすることができる。ドレン孔が横長孔であるため、錐形状の斜面の傾斜方向に沿って流れる液体を確実にドレン孔に流し込むことができる。
【００１３】
前記本発明の複数のドレン孔については、前記斜面の傾斜方向で離間して設けることができる。複数のドレン孔をドーム部の傾斜方向で離間しているため、斜面の傾斜方向における複数箇所で液体をドレン孔に流し込むことができる。
【００１４】
前記斜面の傾斜方向で離間して設ける本発明の複数のドレン孔については、さらに前記斜面の傾斜方向で部分的に重なる位置に設けることができる。斜面の傾斜方向で離間するドレン孔が、さらに斜面の傾斜方向で部分的に重なる位置に設けるため、斜面の傾斜方向では離れているものの、実質的にはそれらのドレン孔を合わせた周長に亘って、斜面を流れる液体を確実にドレン孔で捕捉することができる。
【００１５】
前記本発明の貯水部は、前記ドーム部における前記錐形状の底面に配置する下面カバー部を有するフード部として備えることができる。これによれば、換気口カバーの外観を構成するフード部の下面カバー部を貯水部として有効利用することができる。これにより貯水部を形成するための部品点数の増加を防ぐことができる。
【００１６】
前記本発明については、下面カバー部の外周縁に、前記軒天井に向けて立ち上がり前記ドーム部の下端外周を覆う外向き傾斜縁を設け、前記ドーム部の下端外周と前記外向き傾斜縁との間に、前記ドーム部の斜面に沿って流れる液体を受ける受け溝部を設けることができる。これによれば、例えば前述のドレン孔に流し込めない液体については、下面カバー部の外向き傾斜縁とドーム部の下端外周との間に設けた受け溝部で受け止めることが可能となる。したがって、ドレン孔で捕捉できない液体が斜面を流れ落ちても、下面カバー部から垂れ落ちないように受け止めることができる。
【００１７】
前記本発明の外向き傾斜縁については、その上端が前記ドーム部の斜面の下端部に対して上方に突出しない長さとすることができる。外向き傾斜縁の上端がドーム部の斜面の下端部に対して上方に突出していると、ドーム部の斜面に沿って流れる気流がその突出部分に当たり、気流が乱されてしまう。これに対して本発明によれば、ドーム部の斜面に沿って流れる気流を外壁から離れる方向へ排出することを、より確実にすることができる。
【００１８】
前記本発明の前記フード部については、前記ドーム部の斜面の側方を覆う有端環状の外周カバー部を有することができる。これによれば換気口カバーから排出する気流を、外周カバー部を欠如する錐形状のドーム部の周方向での特定の方向に吹き出すことができる。
【発明の効果】
【００１９】
本発明の換気口カバーによれば、軒天井の汚損を抑制しつつ、結露水のような液体の垂れ落ちも防ぐことができ、換気口カバーを設置した軒天井の周辺環境が吹き出した気流によって汚れないように、建物の美観を維持することができる。
【図面の簡単な説明】
【００２０】
【図１】一実施形態による換気口カバーの右側面図。
【図２】一実施形態による換気口カバーの正面図。
【図３】図２のＩＩＩ−ＩＩＩ線断面図。
【図４】差込筒の側からフェイス部材の構造を示す説明図。
【図５】差込筒の側からドーム部の構造を示す説明図。
【図６】図１の換気口カバーの使用状態説明図。
【発明を実施するための形態】
【００２１】
以下、本発明の一実施形態の換気口カバーについて図面を参照しつつ説明する。本明細書、特許請求の範囲、図面では、換気口カバーの正面を示す図２の左右方向をＸ方向、図１の左右方向をＹ方向、高さ方向をＺ方向として説明する。
【００２２】
〔換気口カバーの構造〕
本実施形態の換気口カバー１は、本体部２とカバー部３とを備えて構成される。このうち本体部２は、差込筒４、ベース部５、フェイス部６を備える。またカバー部３は、外周カバー部７、下面カバー部８、ドーム部９を備えている。
【００２３】
差込筒４は、円筒形状であり、カバー部３側の端末に開口４ａが形成されている。差込筒４は、建物の軒天井１０を化粧する天井ボード１１のボード孔１１ａに隣接して開口する換気筒１２の換気口１２ａ、即ちダクトやフレキシブルホース等の屋外側端末に差し込ませて取付けられる。差込筒４には開口４ａの側にベース部５に固定するフランジ４ｂが形成されている。
【００２４】
ベース部５には、他の様々な部材が取付けられており、換気口カバー１の軒天井１０への設置状態で、天井ボード１１の板面に沿わせて取付けられる。ベース部５には円環状の環状板部５ａが形成されている。環状板部５ａは、前述の差込筒４のフランジ部４ｂが固定され、さらに環状板部５ａとの間で天井ボード８を挟み込んで保持する取付金具１３が固定されている。環状板部５ａの板縁からはＺ方向に伸長する環状枠部５ｂが形成されている。
【００２５】
フェイス部６は、ベース部５の環状枠部５ｂの下端開口に取付けられる部材であり、環状枠部５ｂの内側に差込ませる差込枠部６ａと、外周枠部６ｂと、動物や昆虫等の異物の侵入を防止する金網６ｃが設けられている。ここで重要なのは外周枠部６ｂであり、外周枠部６ｂには整流板部６ｄによって部分的に閉塞された通気口６ｅが形成されている。整流板部６ｄは、図４で示すような半円形状であり、その整流縁６ｄ１が差込筒４の開口４ａのＹ方向の奥側の開口縁から開口中心に向かう１／４〜１／２の範囲内に位置することで通気口６ｅを閉塞するように設けられる。これにより後述するように気流を軒天井１０から離すように吹き出す整流効果を確実に得ることができる。フェイス部６の差込枠部６ａには２カ所にねじ孔６ｆが設けられており、差込枠部６ａをベース部５の環状枠部５ｂに差し込ませた状態でねじＮにより固定される。
【００２６】
カバー部３の外周カバー部７は、前述の整流板部６ｄを取り囲むように、ドーム部９の側方を周方向で１８０°の範囲で閉塞する部分である。したがってこの外周カバー部７によって閉塞されていない残り１８０°の範囲が換気口カバー１の内部が外部と連通する通気開口１４を形成することとなる。外周カバー部７の端部はフェイス部６の差し込み枠部６ａの外周面に対して溶接等により固定されている。
【００２７】
下面カバー部８は、円形状であり、換気口カバー１の外観をなす下面として設けられている。その周縁における外周カバー部７の端部と重なる部位には、Ｚ方向へ屈曲する固定縁８ａが形成されており、ここが外周カバー部７に固定される。他方、外周カバー部７の端部と重ならない部位、即ち通気開口１４に対応する部位には外向き傾斜縁８ｂが形成されている。外向き傾斜縁８ｂは、後述するドーム部９の下端縁との間に、雨水や結露水等の液体を受け流すための隙間、即ち受け溝部１５を形成するように外向きに広がるように傾斜して形成されている。これにより下面カバー部８の上面で受けた液体を一定量貯めることができることから、下面カバー部８の上面側は貯水部１６を構成する。外向き傾斜縁８ｂは、その上端がドーム部９の斜面９ｂの下端部を通過する仮想水平線に対して鉛直上方に突出しない長さとする。外向き傾斜縁８ｂがそのように突出していると、斜面８ｂに沿って流れる気流がその突出部分に当たり、気流が乱されてしまい、きれいに斜面８ｂの傾斜方向に沿って吹き出すことができないためである。
【００２８】
ドーム部９は、下面カバー部８のＺ方向における上面に取付けられている。ドーム部９は、頂点部９ａから斜面９ｂが広がる円錐形状に形成されている。頂点部９ａは金網６ｃを介して気流が吹き込む差込筒４の開口４ａに対向して設けられ、ドーム部９のＸ方向に沿う左右方向とＹ方向に沿う前後方向のそれぞれの中央に位置するように設けられている。
【００２９】
ドーム部９の斜面９ｂには、複数のドレン孔９ｃが貫通形成されている。本実施形態の複数のドレン孔９ｃは、円錐形状の周方向に伸長する横長孔として形成されているため、斜面９ｂを流れ落ちる雨水や結露水等の液体を確実に捕捉して流し込むことができる。また、図４、図５で示すように、各ドレン孔６ｃは斜面９ｂの傾斜方向で相互に離間して配置されているため、斜面９ｂの傾斜方向の複数箇所で液体を捕捉することができる。さらに斜面９ｂの傾斜方向で離間して配置したドレン孔９ｃは、斜面９ｂの傾斜方向で部分的に重なる位置に設けられている。したがって、斜面９ｂの傾斜方向に沿って流れる液体がドレン孔９ｃを回避する逃げ道が無くなりさらに確実に液体を捕捉することが可能となる。
【００３０】
ドーム部９の斜面９ｂの下端にはＺ方向に伸長する縦縁９ｄが形成されている。縦縁９ｄは、前述のように外向き傾斜縁８ｂとの間に、雨水や結露水等の液体を受け流すための受け溝部１５を形成する。また、縦縁９ｄには、複数の第２のドレン孔９ｅが形成されており、受け溝部１５に貯まる液体を貯水部１６に逃がすことできるようにしている。
【００３１】
ドーム部９には、図５で示すように４つの脚９ｆが片持ち梁状に形成されており、ドーム部９はここを下面カバー部８に溶接して固定されている。なお、この脚９ｆの周囲に形成される切欠き孔は、第３のドレン孔９ｇを形成するものである。
【００３２】
〔換気口カバーの使用方法及び作用・効果〕
以下、本実施形態の換気口カバー１の使用方法及び作用・効果について説明する。
【００３３】
まず、換気口カバー１を軒天井１０に設置するには、ねじＮを外して、フェイス部６の差込枠部６ａをベース部５の環状枠部５ｂから取り外す。そしてベース部５と差込筒４だけなった状態で差込筒４をボード孔１１ａに挿入し、このとき同時に取付金具１３も挿入し、差込筒４を換気口１２ａに差し込ませて接続する。取付金具１３にはねじ送り機構により天井ボード１１に係止する係止片１３ａを備えており、ベース部５の下側からねじ１３ｂの頭（図示略）を回すと、雌ねじのねじ孔にて螺合している係止片１３ａがＺ方向で下に送られて、天井ボード１１を環状板部５ａとの間で挟み込むようになる。こうした取付操作によってベース部５と差込筒４を天井ボード１１に簡単に固定することができる。そしてベース部５の環状枠部５ｂにフェイス部６の差込枠部６ａを差し込ませてから、ねじＮを締結する。これにより換気口カバー１を軒天井１０に設置することができる。
【００３４】
こうして設置された換気口カバー１には、図６で示すように、気流が換気筒１２から差込筒４に流れ込む。気流は、整流板部６ｄに当たる気流と通気口６ｅを通過する気流とに別れるが、整流板部６ｄに当たる気流は整流板部６ｄを避けるようにして通気口６ｅに向けて整流される。整流板部６ｄの整流縁６ｄ１とドーム部９の頂点部９ａとは近接しているため、通気口６ｅを通過する気流は、整流縁６ｄ１の近傍に位置するドーム部９の通気開口１４の側に隣接する斜面６ｂに沿って通気開口１４に向かって流れる。通気開口１４から外に吹き出す気流は、斜面６ｂの角度を保ったまま軒天井１０から離れる方向に吹き出し続ける。このように本実施形態の換気口カバー１は、換気口１２ａから流れ込む気流を整流板部６で整流しつつドーム部９の斜面６ｂに受け流して、斜面６ｂの傾斜角を維持したまま通気開口１４から吹き出すことで、軒天井１０を汚損しないようにすることができる、という基本特性を有する。
【００３５】
さらに換気筒１２が台所や浴室と外部とを繋ぐ換気経路である場合には、換気筒１２からの気流には水分が含まれており、気流がドーム部９に当たると水分がドーム部９に付着し、それが結露するとドーム部９の斜面９ｂを流れ、換気口カバー１から下に垂れ落ちると床面を汚してしまうことになる。しかしながら、このような場合であっても本実施形態の換気口カバー１であれば、斜面９ｂを流れる液体Ｗや受け溝部１５に流れ込んだ液体Ｗは、前述したようにドーム部９の各所に設けた複数のドレン孔９ｃ、９ｅ、９ｇにてドーム部９の内部に導くことができる。そして、下面カバー部８の上面は貯水部１６となっていることから、そこに貯めておくことができて下に垂れ落ちない。貯水部１６に貯まった液体Ｗは自然乾燥により消失させることができる。
【００３６】
前記実施形態の換気口カバー１については、以下のような変形例として構成して実施することも可能である。
【００３７】
前記実施形態では、ドレン孔９ｃとして横長孔のものを例示したが、頂点部９ａからの離間距離が同じである隣接するドレン孔９ｃどうしを繋げたようなドレン孔としてもよい。また、ドレン孔９ｃは長孔ではなく丸孔でもよいが、この場合には斜面９ｂに沿って流れる液体の捕捉性能は低下すると考えられる。
【００３８】
前記実施形態では、下面カバー部８として、外縁以外が平坦な円板形状のものを例示したが、それに換えて下方に突出する凹部を有する形状としてもよく、これにより貯水量を増やすことができる。また、下面カバー部８の上面には、ドーム部９のドレン孔９ｃから滴り落ちる液体が下面カバー部８にあたるときの打音の発生を緩和する緩衝シートを取付けるようにしてもよい。
【００３９】
前記実施形態では、外周カバー部７を設ける例を示したが、外周カバー部７を設けずに、複数本の支柱でドーム部９と下面カバー部８とを支持する換気口カバーとすることもできる。但しこの場合には、外周カバー部７による閉塞が無いため、気流を特定方向へ吹き出す風向制御はできないことになる。
【００４０】
前記実施形態では、整流板部６ｄを有する換気口カバー１を例示したが、整流板部６ｄによる作用・効果を奏さなくても良ければ整流板部６ｄを無くしてもよい。
【符号の説明】
【００４１】
１    換気口カバー
２    本体部
３    カバー部
４    差込筒
４ａ  開口
４ｂ  フランジ部
５    ベース部
５ａ  環状板部
５ｂ  環状枠部
６    フェイス部
６ａ  差込枠部
６ｂ  外周枠部
６ｃ  金網
６ｄ  整流板部
６ｄ１  整流縁
６ｅ  通気口
６ｆ  ねじ孔
７    外周カバー部
８    下面カバー部
８ａ  固定縁
８ｂ  外向き傾斜縁
９    ドーム部
９ａ  頂点部
９ｂ  斜面
９ｃ  ドレン孔
９ｄ  縦縁
９ｅ  ドレン孔
９ｆ  脚
９ｇ  ドレン孔
１０    軒天井
１１    天井ボード
１１ａ  ボード孔
１２    換気筒
１２ａ  換気口
１３    取付金具
１３ａ  係止片
１３ｂ  ねじ
１４    通気開口
１５    受け溝部
１６    貯水部
Ｎ    ねじ
Ｗ    液体
【図１】
2018071828.tif 000003
【図２】
2018071828.tif 000004
【図３】
2018071828.tif 000005
【図４】
2018071828.tif 000006
【図５】
2018071828.tif 000007
【図６】
2018071828.tif 000008